(57)【要約】【課題】簡単な構造で手の滑りを確実に防止でき、誰でも握りやすく、作業中に疲れにくいうえ、作業性及び安全性を向上しうる手作業器具の柄を提供する。【解決手段】一方に長く形成されるとともに、一端側に農作業又は園芸作業用の器具本体１４が取り付けられ、他方側に把持部１６が形成される手作業器具の柄において、把持部１６の外周面に略全周面に亘って凹設された凹部を把持部の長手方向に向けて繰返し形成させて、該把持部を把持した手の指を引っ掛けて滑り止めするための指掛け凹凸部２０を備えたことを特徴とする手作業器具の柄１０から構成される。【選択図】図１
0003151703.tif 000002
【実用新案登録請求の範囲】
【請求項１】
一方に長く形成されるとともに、一端側に農作業又は園芸作業用の器具本体が取り付けられ、他方側に把持部が形成される手作業器具の柄において、
把持部の外周面に略全周面に亘って凹設された凹部を把持部の長手方向に向けて繰返し形成させて、該把持部を把持した手の指を引っ掛けて滑り止めするための指掛け凹凸部を備えたことを特徴とする手作業器具の柄。
【請求項２】
指掛け凹凸部は、把持部の外周面に長手方向に向けて所定のピッチで螺旋状に連続して形成された螺旋状溝を含むことを特徴とする請求項１記載の手作業器具の柄。
【請求項３】
指掛け凹凸部は、把持部の同じ範囲に右巻き螺旋状に連続する右螺旋状溝と左巻き螺旋状に連続する左螺旋状溝とを交差して形成させた左右巻き二重螺旋状溝を含むことを特徴とする請求項２記載の手作業器具の柄。
【請求項４】
左右巻き二重螺旋状溝は、柄本体を長手中心軸周りに回転させつつ、柄本体の外周側からあてがわせる切削刃を該柄本体の長手方向に沿って一定速度で一往復移動させることにより形成されたことを特徴とする請求項３記載の手作業器具の柄。
【考案の詳細な説明】
【技術分野】
【０００１】
本考案は、鍬、鎌、鋤、レーキ、斧、鉈等の農作業又は園芸作業で用いられる手作業器具の柄に関する。
【背景技術】
【０００２】
従来、鍬や鎌等の柄は、円柱状や楕円柱状の木製棒体で形成されている場合が多い。したがって、柄の表面は丸く滑らかなので比較的手が滑りやすいことから、作業者は滑らないように強い力で握りながら作業しなければならず、余分な力が必要となり疲れやすかった。さらに、握りが不安定であるので、作業中に手の中で柄が回転して刃先方向が土や草等の対象物からずれてしまったり、手から離れて飛んでしまったりする場合もあり、使い勝手が悪いとともに安全性にも問題があった。特に、握力が弱い高齢者や女性、子供の場合にはこの問題が大きく、円滑な作業を行いにくかった。また、手を保護するために手袋を着用するとかえって滑りやすくなってしまうという問題があった。
【０００３】
この問題に対し手袋を着用したままでも柄を確実に握持できるようにした技術が特許文献１に提案されている。特許文献１の手道具用の柄では、柄体に粒子の粗い塗料の被膜からなる滑り止め体を設けたものであった。
【先行技術文献】
【特許文献】
【０００４】
【特許文献１】実開平５−７０２５号公報
【考案の概要】
【考案が解決しようとする課題】
【０００５】
しかしながら、特許文献１の手道具の柄では、滑り止め体に泥やほこりが付着したり、柄体と手（手袋）の摩擦等により滑り止め体の塗料が剥げ落ちてしまったりして滑り止め機能が低下するおそれがあった。さらに、特許文献１では、手袋の着用を前提としたものであるから、柄体を手袋を着用せずに素手で握って作業すると滑り止め体の粒子の凹凸により手に痛みを感じたり、手の皮膚を負傷したりしやすく、長時間の使用も困難である結果、素手での使用は困難で使い勝手が悪く、安全性に劣るものであった。
【０００６】
本考案は、上記従来の課題に鑑みてなされたものであり、その一つの目的は、簡単な構造で手の滑りを確実に防止でき、誰でも握りやすく、疲れにくいとともに作業性及び安全性を向上しうる手作業器具の柄を提供することにある。
【課題を解決するための手段】
【０００７】
上記課題を解決するために本考案は、一方に長く形成されるとともに、一端側に農作業又は園芸作業用の器具本体１４が取り付けられ、他方側に把持部１６が形成される手作業器具の柄において、把持部１６の外周面に略全周面に亘って凹設された凹部（２２、２６、２８、３４）を把持部１６の長手方向に向けて繰返し形成させて、該把持部を把持した手の指を引っ掛けて滑り止めするための指掛け凹凸部２０、２０ａ、２０ｂを備えたことを特徴とする手作業器具の柄１０、１０ａ、１０ｂから構成される。繰返し形成される凹部のピッチ幅は一定幅でもよく、異なるピッチ幅としてもよい。
【０００８】
また、指掛け凹凸部２０、２０ａは、把持部１６の外周面に長手方向に向けて所定のピッチで螺旋状に連続して形成された螺旋状溝２２（２６，２８）を含むこととしてもよい。基本的には、螺旋状溝は連続した１本のみの螺旋状溝でもよいが、後述のように２本又は複数の螺旋状溝を同時に形成してもよい。右利き、左利き用等に応じて螺旋状溝を右巻き螺旋或いは左巻き螺旋で形成してもよい。
【０００９】
また、指掛け凹凸部２０ａは、把持部の同じ範囲に右巻き螺旋状に連続する右螺旋状溝２６と左巻き螺旋状に連続する左螺旋状溝２８とを交差して形成させた左右巻き二重螺旋状溝３０を含むこととしてもよい。
【００１０】
また、左右巻き二重螺旋状溝３０は、柄本体１８を長手中心軸５０周りに回転させつつ、柄本体１８の外周側からあてがわせる切削刃４２を該柄本体１８の長手方向に沿って一定速度で一往復移動させることにより形成されたこととしてもよい。
【考案の効果】
【００１１】
本考案の手作業器具の柄によれば、一方に長く形成されるとともに、一端側に農作業又は園芸作業用の器具本体が取り付けられ、他方側に把持部が形成される手作業器具の柄において、把持部の外周面に略全周面に亘って凹設された凹部を把持部の長手方向に向けて繰返し形成させて、該把持部を把持した手の指を引っ掛けて滑り止めするための指掛け凹凸部を備えたことから、指掛け凹凸部による滑り止め機能により柄を把持した際の手の滑りを確実に防止でき、安定的に把持した状態で手作業器具を円滑に使用することができる結果、余分な力を必要とせず疲れにくいとともに、使い勝手が良く、さらに安全性も向上しうる。よって、老若男女の誰でも円滑に使用できる。
【００１２】
また、指掛け凹凸部は、把持部の外周面に長手方向に向けて所定のピッチで螺旋状に連続して形成された螺旋状溝を含む構成とすることにより、柄本体に螺旋状溝を刻むだけで簡単に指掛け凹凸部を形成できる。さらに、螺旋状溝が手指にフィットしやすく使い勝手が良い。また、螺旋状溝による独特な意匠感を有し、商品価値を向上できる。
【００１３】
また、指掛け凹凸部は、把持部の同じ範囲に右巻き螺旋状に連続する右螺旋状溝と左巻き螺旋状に連続する左螺旋状溝とを交差して形成させた左右巻き二重螺旋状溝を含む構成とすることにより、右巻き螺旋状溝と左巻き螺旋状溝とが同時に形成されているので右手、左手のいずれにも凹凸部がフィットして手に馴染みやすく、右利き、左利きを問わず使用できるうえ、自由に持ち替えながら使用でき、実用性が高い。また、二重螺旋状溝による独特な意匠感を有し、商品価値を向上できる。
【００１４】
また、左右巻き二重螺旋状溝は、柄本体を長手中心軸周りに回転させつつ、柄本体の外周側からあてがわせる切削刃を該柄本体の長手方向に沿って一定速度で一往復移動させることにより形成された構成とすることにより、柄を製造する際に、加工装置に柄本体を１度セッティングするだけで、柄本体の向きや切削刃の向き等の設定変更を行う必要がなく、簡単に二重螺旋状溝を形成することができる。
【図面の簡単な説明】
【００１５】
【図１】本考案の第１の実施形態に係る手作業器具の柄の正面図及びその一部拡大図である。
【図２】図１の手作業器具の柄の側面図である。
【図３】本考案の第２の実施形態に係る手作業器具の柄の正面図及びその一部拡大である。
【図４】本考案の第３の実施形態に係る手作業器具の柄の正面図及びその一部拡大である。
【図５】螺旋状溝又は二重螺旋状溝を形成する際の概略説明図である。
【図６】二重螺旋状溝を形成する際の概略説明図である。
【考案を実施するための形態】
【００１６】
以下、添付図面を参照しつつ本考案の手作業器具の柄の実施の形態について説明する。本考案の手作業器具の柄は、例えば、鍬、鋤等の両手で使用される手作業器具又は鎌等の片手で使用される手作業器具等、農作業又は園芸作業で使用される種々の手作業器具に持ち手部として利用できる柄であり、手の滑りを防止しながら作業を円滑に行えるものである。図１、図２は、本考案に係る手作業器具の柄の第１の実施形態を示している。図１、図２に示すように、本実施形態において、手作業器具１２の柄１０は、一端に器具本体１４が固定されるとともに他方側に把持部１６が形成される柄本体１８と、該柄本体１８の把持部１６に形成される指掛け凹凸部２０と、を備えている。
【００１７】
本実施形態では、手作業器具１２は、例えば、鍬等の両手で把持して使用するタイプの農作業用器具の態様で説明している。器具本体１４は公知の鍬刃体からなる。なお、手作業器具は鍬に限らず、鋤、レーキ、熊手、草削り、鎌、斧、鉈等その他片手又は両手で把持して使用する任意の農作業用又は園芸作業用の器具でもよい。
【００１８】
柄本体１８は、例えば、１〜２ｍ程度の比較的長尺の長さで一方に長く形成された椎や樫の木等を素材とした木製棒体からなり、公知の鍬等の柄と略同様の構成で形成される。柄本体１８は、例えば、一端１８ａから該一端寄りの中間位置１８ｃまでの部分が端面視縦長長方形の直杆状に形成されて接続基部１５を形成し、一端１８ａに鍬刃体等の器具本体１４が固定される。残りの他方側部分すなわち他端１８ｂから前記中間位置１８ｃまでの部分が端面視縦長略楕円形の直杆状に形成されて把持部１６となっている。柄本体１８は、長い四角柱状棒体から所定の長さ部分だけを丸く面取りして把持部１６を形成し、縦長四角柱状の接続基部１５と縦長楕円柱状の把持部１６とが長手方向に一体的に連続して構成されている。把持部１６はある程度長く形成されて任意の位置を手で把持できるようになっており、例えば、右手（又は左手）で中間位置１８ｃ寄り側を、左手（又は右手）で他端部１８ｂ側をそれぞれ把持される。なお、柄本体１８の長さは器具本体１４の態様に応じて長さ等が設定されるとよい。
【００１９】
把持部１６の外周面には指掛け凹凸部２０が形成されている。指掛け凹凸部２０は、把持部を把持する手の指を引っ掛けて滑り止めする柄の滑り止め手段であり、手指が引っ掛かるような凹部（凹凸）を全周面に亘って凹設させ、かつ該凹部を長手方向Ｔに向けて所定のピッチ幅で複数個繰返して形成している。具体的には、指掛け凹凸部２０は、例えば、略楕円柱状の胴部側面の外周面から円弧状に凹設されつつ全周面に亘ってねじれ巻き形成された連続溝であり、長手方向Ｔに所定のピッチで時計回り（反時計回り）にねじれ巻きながら進む右巻き（又は左巻き）螺旋状に連続した１本の螺旋状溝２２を含む。螺旋状溝２２は把持部１６の長手方向全体に及んで形成される。把持部１６外周面で螺旋状溝２２が形成されていない残りの部分は、螺旋状に連続する１本の螺旋状凸部２４が形成される。すなわち、指掛け凹凸部２０は、螺旋状溝２２による凹部と残された螺旋状凸部２４による凸部とにが長手方向Ｔに向けて交互に繰り返して構成される。すなわち螺旋状溝を形成することにより、１本の溝構成だけで複数の凹部を同時に繰返し形成することができ、簡単な構造で指掛け凹凸部２０を具現できる。このように把持部１６に指掛け凹凸部２０を形成したことにより、把持部１６を手で把持した際にその手指が螺旋状溝２２に沿ってあてがわれながら該螺旋状溝に引っ掛かることにより、滑り止め機能として有効に作用する。その結果、握りやすく、強い余分な力で握る必要がなく、疲れにくいとともに、農作業等を円滑に行え、使い勝手が良い。さらに、手袋を着用した場合でも手指が螺旋状溝２２に引っ掛かるので有効に滑り防止できる。
【００２０】
本実施形態に係る手作業器具の柄１０を製造する際には、例えば、図５に示すように、木材を略四角柱状に加工して形成した柄本体１８を加工装置に両端側を支持させて長手軸５０周りに回転させる。回転している切削刃４２を柄本体１８の外周面からあてがうことにより溝を削り加工するが、この際、切削刃４２を柄本体の長手方向Ｔに沿って他端１８ｂから一端１８ａ側に向かう方向（往方向ＦＨ）に向けて一定速度で移動させていく。これにより、柄本体１８に１本の螺旋状溝２２を簡単に形成することができる。なお、本実施形態では、柄本体は端面視で縦横の比率が異なる縦長長方形状となっているので、螺旋状溝２２の深さを略一定に形成するために切削刃４２は制御装置を介して倣い制御される。この際、倣い制御する加工装置としては例えばコッピングマシンやならい旋盤等を利用できる。例えば、予め指掛け凹凸部がない楕円柱状の模型柄４８を作成しておき、加工する柄本体１８に並設して加工装置に両端を支持させ該柄本体と同期させながら長手軸５２回りに回転させる。模型柄４８の楕円柱曲面状の外周面に沿ってローラ４６等の接触子を接触させながら、制御装置４４を介して該模型柄４８の形状に対応するように切削刃４２の動きを制御しつつ、柄本体の外周面からあてがわせ、かつ長手方向に沿って移動制御して螺旋状溝を形成する。螺旋状溝２２を形成した後には、把持部１６部分の角を丸く削って断面楕円形状の略楕円柱状体として仕上げる。このように製造された柄の一端側に鍬刃体等の器具本体１４を固定されて手作業器具１２が完成する。
【００２１】
次に、図３を参照しつつ本考案の第２の実施形態の手作業器具の柄について説明するが、上記した第１実施形態と同一部材には同一符号を付し、その詳細な説明は省略する。図３に示すように、本実施形態に係る手作業器具の柄１０ａでは、指掛け凹凸部２０ａの構成が第１実施形態と異なっている。本実施形態において、指掛け凹凸部２０ａは、例えば、把持部１６の同じ範囲に、右巻き螺旋状に連続する右螺旋状溝２６と、左巻き螺旋状に連続する左螺旋状溝２８と、を交差して形成させた左右巻き二重螺旋状溝３０を含む。図において、二重螺旋状溝３０は、略左斜め上がりに傾斜して形成される右螺旋状溝２６と、逆に略左斜め下がりに傾斜して形成される左螺旋状溝２８と、が互い交差して、すなわち互いに反対巻きに捻れて形成される２本の螺旋状溝が交差して形成されている。把持部１６の螺旋状溝２６、２８が形成されていない残りの部分は、変形菱形状の複数個凸部３２が互いに溝を挟んで離隔して形成されている。すなわち、指掛け凹凸部２０ａは、二重螺旋状溝３０による凹溝と凸部３２とが交互に繰り返して構成される。二重螺旋状溝３０を形成したことにより、右手、左手のいずれで把持しても、右巻き又は左巻き螺旋状溝のいずれかの傾斜に沿ってあてがわせて手指が引っ掛かるので、フィット感が良く馴染みやすいうえ、滑り止め機能を良好に発揮できる。その結果、両手で柄を持つ際に任意に持ち替えしながら使用でき、作業者が右利きでも左利きであっても良好に使用できる。
【００２２】
本実施形態に係る手作業器具の柄１０ａを製造する際には、図６に示すように、まず第１実施形態で１本の螺旋状溝を形成するのと同様にして、例えば右螺旋状溝が形成される。すなわち、柄本体１８の両端側を支持させて長手軸５０周りに回転させるとともに、切削刃４２を柄本体１８の外周面からあてがわせながら、柄本体の長手方向Ｔに沿って一定速度で他端１８ｂから一端１８ａ側に向けた往方向ＦＨに移動させて右螺旋状溝２６を形成する。把持部１６の端部となる中間位置１８ｃ近傍まで螺旋状溝２６を形成した後には、図６に示すように、把持部１６にあてがわれる切削刃４２を上記とは逆の復方向ＢＨすなわち他端１８ｂ側に向けて一定速度で移動させる。これにより、上述の右螺旋状溝とは逆方向にねじれ巻く左螺旋状溝２８が形成されていき、その結果２本の左右螺旋状溝が交差した二重螺旋状溝３０が形成される。なお、上記実施形態同様に、長手方向に沿って移動する切削刃４２は倣い制御しながら切削する。柄本体１８に二重螺旋状溝３０を形成した後には、把持部１６部分の角を丸く削って断面楕円形状の略楕円柱状体として仕上げる。そして製造された柄の一端側に器具本体１４を固定して手作業器具１２が完成する。
【００２３】
次に、図４を参照しつつ本考案の第３の実施形態の手作業器具の柄について説明するが、上記した第１実施形態と同一部材には同一符号を付し、その詳細な説明は省略する。図５に示すように、本実施形態では、手作業器具１２は、片手で使用する草取り用の鎌の態様であり、器具本体１４ｂは鎌刃体からなる。柄の長さは例えば、３０〜４０ｃｍ等に設定される。さらに指掛け凹凸部２０ｂの構成も第１、第２実施形態とは異なっている。本実施形態では、指掛け凹凸部２０ｂには、螺旋状に連続する螺旋状溝は設けられず、それぞれが周方向に連続して１ループで完結する環状凹溝３４が複数個形成されている。環状凹溝３４は、例えば、把持部の外周面から略円弧状に凹設されており、上記第１、第２実施形態の螺旋状溝の溝幅と比較して広めに形成されている。把持部１６の環状凹溝３４が形成されていない残りの部分は周方向に連続して突設しつつ１ループで完結する節状凸部３６が複数個形成される。すなわち、指掛け凹凸部２０ｂは、環状凹溝３４と節状凸部３６とが交互に繰返して構成されている。この第３実施形態でも、指掛け凹凸部２０ｂの構成により把持する手が滑りにくく、余分な力を必要とせず円滑に作業でき、疲れにくく、安全に使用できる。
【００２４】
以上説明した本考案の手作業器具の柄は、上記した実施形態のみの構成に限定されるものではなく、実用新案登録請求の範囲に記載した本考案の本質を逸脱しない範囲において、任意の改変を行ってもよい。
【産業上の利用可能性】
【００２５】
本考案の手作業器具の柄は、鍬、鋤、鎌、斧、鉈等の農作業又は園芸作業用の器具の持ち手として利用できる。
【符号の説明】
【００２６】
１０    手作業器具の柄
１４    器具本体
１６    把持部
２０    指掛け凹凸部
２２    螺旋状溝
２６    右螺旋状溝
２８    左螺旋状溝
３０    二重螺旋状溝
【図１】
0003151703.tif 000003
【図２】
0003151703.tif 000004
【図３】
0003151703.tif 000005
【図４】
0003151703.tif 000006
【図５】
0003151703.tif 000007
【図６】
0003151703.tif 000008